(57)【特許請求の範囲】
【請求項１】
前針床と後針床とを有する横編機を用い、爪先側から踵側へ向けて、フットウェアを構成する編地を製造する方法において、
a：  下端が閉じて爪先となり、かつ上端が開いている編地から成る、第1の袋状編地と、下端が閉じて爪先となり、かつ上端が開いている編地から成る、第2の袋状編地あるいは第１の袋状編地とは針床の長手方向に沿って逆側が開いているＣ字状の編地を、
第1の袋状編地の編目の一部が前針床Fに係止され、第1の袋状編地の編目の残部が後針床Bに係止され、
かつ第2の袋状編地あるいはＣ字状の編地の編目の一部が前針床Fに係止され、第2の袋状編地あるいはＣ字状の編地の編目の残部が後針床Bに係止されるように、
下端から上端まで編成するステップと、
b：  第1の袋状編地の上端の編目の一部と、第2の袋状編地あるいはＣ字状の編地の上端の編み目の一部とを重ね、伏目を行い針床から外すステップと、
c：  第1の袋状編地の上端の伏せ目されていない残部の編目と、第2の袋状編地あるいはＣ字状の編地の上端の伏せ目されていない残部の編目とを、前記各編目列が針床上で回転するように、針床上で回し込むことにより、第1の袋状編地の上端の残部の編目が前針床と後針床の一方の針床に係止され、第2の袋状編地あるいはＣ字状の編地の上端の残部の編目が前針床と後針床の他方の針床に係止されるように配置するステップと、
d：  第1の袋状編地の上端の残部の編目と、第2の袋状編地あるいはＣ字状の編地の上端の残部の編目とに続く編地を、フットウェアの踵側へ編成するステップとを、
上記の順に実行することを特徴とするフットウェアの製造方法。
【請求項２】
前記ステップdでは、
フットウェアのソールとソールの両側の両側面との編地は、第1層の編地と第2層の編地とが向かい合う、2層の筒状編地として編成し、
かつ第1層の編地でも第2層の編地でも、針床上で、フットウェアのソールの編目の両側に、両側面の編目を配置して編成することを特徴とする、請求項１のフットウェアの製造方法。
【請求項３】
e：  前記ステップdに続いて、
フットウェアのソールとソールの両側の両側面との編地の、ソールの部分に続いて踵を立体的な形状に保持するための踵保持部を編成すると共に、
フットウェアのソールとソールの両側の両側面との編地の、両側面の踵側の端部の編目を踵保持部の側面の編目に重ねることにより、前記両側面を踵保持部に接合するステップを実行することを特徴とする、請求項１または２のフットウェアの製造方法。
【請求項４】
前記ステップa，d，及びeでは、熱融着糸を含む糸により編成を行い、
f：  前記ステップeに続いて、フットウェアを構成する編地を横編機から取り出し、次いで、前記第1の袋状編地と、第2の袋状編地あるいはＣ字状の編地を横編機の外部で重ねて、２重の編地とするステップと、
g：  次いで、フットウェアを構成する編地を熱処理することにより、熱融着糸を融着させるステップ、とを実行することを特徴とする、請求項３のフットウェアの製造方法。
【請求項５】
編地から成るフットウェアであって、
各々、爪先から履口開口側へ延び、コース方向が爪先と踵とを結ぶ方向にクロスし、ウェール方向が爪先と踵とを結ぶ方向に沿い、かつ一方が他方の内部に収容されるように重ねられている、2個の袋状編地、あるいは1個の袋状編地と1個のＣ字状編地から成り、かつ爪先が閉じて履口開口側が開いている第１の編地を備え、
前記第１の編地の2個の袋状編地、あるいは1個の袋状編地と1個のＣ字状編地の、爪先とは反対側の端部の編目が、履口開口の周縁で互いに接続されて接合部を構成し、
前記第１の編地の、爪先とは反対側の端部の残りの編目とウェール方向が連続する第２の編地が、ソールとソールから起立する両側面とを構成するように、踵保持部まで延び、
かつ、前記両側面と前記接合部と前記踵保持部とが、履口開口を囲んでいる、フットウェア。
【請求項６】
前記第２の編地では、前記ソール及び前記両側面が各々2層に重なっていることを特徴とする、請求項５のフットウェア。
【請求項７】
踵保持部は前記ソールとウェールが連続し、かつ前記両側面の踵側の端部と、踵保持部の編地の側部とが接合されていることを特徴とする、請求項５または６のフットウェア。
【請求項８】
前記接合部が履口開口内へ突き出していることを特徴とする、請求項５〜７のいずれかのフットウェア。  
【発明の詳細な説明】
【技術分野】
【０００１】
この発明は、横編機での編成によるフットウェアの製造方法と、製造したフットウェアとに関する。
【背景技術】
【０００２】
特許文献１（WO2014/203585）は、内外２重の編地から成るフットウェアの編成を開示している。ここでは踵から爪先へ向けて2個の閉じた編地を編成し、これらは履口開口でつながっている。そして編成後に、片方の編地を履口開口から他方の編地内へ挿入すると、2重の編地から成るフットウェアとなる。このフットウェアは、無縫製で横編機上で製造でき、部品点数が少なく、軽くて薄い特徴がある。【０００３】
特許文献２（JP2015-14058A）は、横編機でフットウェアを編成する際に、踵保持部の側面にソールの両側面を無縫製で接合することを開示している。また特許文献３（WO2008/143172）は、底面の有る立体編地の編成を開示している。【０００４】
フットウェアには様々なデザインがある。用途に応じて薄く軽くし、逆に厚くして強度を増し、さらにクッション性や足のサポート力を増す、などである。またタンを付ける、さらにタンの両側に突出部を設ける、ヒールポケットを設けるなどのバリエーションもある。特許文献１では特定のデザインのフットウェアを編成できるが、多様なデザインのフットウェアを編成するには適していない。現状では、１層のフットウェアか２層のフットウェアかなどの基本的なデザイン毎に、編成方法が有り、またタンの有無などの局部的なデザイン毎に、それに適した編成方法が有る。そしてこれらの編成方法を組み合わせて、所望のデザインに応じた編成方法にする必要がある。この作業は熟練と時間を要し、非効率である。
【先行技術文献】
【特許文献】
【０００５】
【特許文献１】WO2014/203585
【特許文献２】JP2015-14058A
【特許文献３】WO2008/143172
【発明の概要】
【発明が解決しようとする課題】
【０００６】
この発明の課題は、様々なデザインに対応できる、フットウェアの製造方法とフットウェアを提供することにある。  
【課題を解決するための手段】
【０００７】
この発明は、前針床と後針床とを有する横編機を用いて、フットウェアを構成する編地を製造する方法において、
a：  下端が閉じて爪先となり、かつ上端が開いている編地から成る、第1の袋状編地と、下端が閉じて爪先となり、かつ上端が開いている編地から成る、第2の袋状編地あるいは第１の袋状編地とは針床の長手方向に沿って逆側が開いているＣ字状の編地を、
第1の袋状編地の編目の一部が前針床に係止され、第1の袋状編地の編目の残部が後針床に係止され、
かつ第2の袋状編地あるいはＣ字状の編地の編目の一部が前針床に係止され、第2の袋状編地あるいはＣ字状の編地の編目の残部が後針床に係止されるように、
下端から上端まで編成するステップと、
b：  第1の袋状編地の上端の編目の一部と、第2の袋状編地あるいはＣ字状の編地の上端の編み目の一部とを重ね、伏目を行い針床から外すステップと、
c：  第1の袋状編地の上端の伏せ目されていない残部の編目と、第2の袋状編地あるいはＣ字状の編地の上端の伏せ目されていない残部の編目とを、前記各編目列が針床上で回転するように、針床上で回し込むことにより、第1の袋状編地の上端の残部の編目が前針床と後針床の一方の針床に係止され、第2の袋状編地あるいはＣ字状の編地の上端の残部の編目が前針床と後針床の他方の針床に係止されるように配置するステップと、
d：  第1の袋状編地の上端の残部の編目と、第2の袋状編地あるいはＣ字状の編地の上端の残部の編目とに続く編地を、フットウェアの踵側へ編成するステップとを、
上記の順に実行することを特徴とする。【０００８】
なおステップｃで、第1の袋状編地の上端の残部の編目が前針床と後針床の一方の針床に係止されるとは、残部の編目の主要部あるいは大部分が一方の針床に係止されることを意味する。またステップｃで、第2の袋状編地あるいはＣ字状の編地の上端の残部の編目が前針床と後針床の他方の針床に係止されるとは、これらの編目の主要部あるいは大部分が他方の針床に係止されることを意味する。【０００９】
またこの発明の編地から成るフットウェアは、
各々、爪先から履口開口側へ延び、コース方向が爪先と踵とを結ぶ方向にクロスし、ウェール方向が爪先と踵とを結ぶ方向に沿い、かつ一方が他方の内部に収容されるように重ねられている、2個の袋状編地、あるいは1個の袋状編地と1個のＣ字状編地から成り、かつ爪先が閉じて履口開口側が開いている第１の編地を備え、
前記第１の編地の2個の袋状編地、あるいは1個の袋状編地と1個のＣ字状編地の、
爪先とは反対側の端部の編目が、履口開口の周縁で互いに接続されて接合部を構成し、
前記第１の編地の、爪先とは反対側の端部の残りの編目とウェール方向が連続する第２の編地が、ソールとソールから起立する両側面とを構成するように、踵保持部まで延び、
かつ、前記両側面と前記接合部と前記踵保持部とが、履口開口を囲んでいる。【００１０】
この発明では、多用なデザインのフットウェアが得られる。爪先から履口開口までの部分では、タンの有無、タンの形状等のデザインに対応できる。履口開口から踵までの部分では、ソール及び両側面の編成を変えることにより、タンの両側の突起の有無とその形状など、種々のデザインに対応できる。またこの発明では、図４，図５での突起２２，２３の接合など、補助的な部分を除けば、無縫製でフットウェアを製造できる。なおソールはフットウェアの足裏を支える平坦な部分をいう。この発明のフットウェアは、例えばシューズアッパーとして用いることができ、ソールカバーが不要な場合そのままでフットウェアとなる。【００１１】
好ましくは、前記ステップdでは、
フットウェアのソールとソールの両側の両側面との編地は、第1層の編地と第2層の編地とが向かい合う、2層の筒状編地として編成し、
かつ第1層の編地でも第2層の編地でも、針床上で、フットウェアのソールの編目の両側に、両側面の編目を配置して編成する。【００１２】
好ましくは、第２の編地ではソール及び両側面が各々2層に重なっている。ソールと両側面を2層にすると、強度が増す。またソールと両側面は２層に編成されるが、単純な2層の編地には限らない。例えば、前後の編地間を曲がり難い編糸によりタックすると、タックした曲がり難い編糸により、２層の編地間にスペースを設けることができる。また、前後の編地をリブ組織で接続すると、編地に厚みを出すことができる。【００１３】
好ましくは、前記ステップdに続いて、
フットウェアのソールとソールの両側の両側面との編地の、ソールの部分に続いて踵を立体的な形状に保持するための踵保持部を編成すると共に、
フットウェアのソールとソールの両側の両側面との編地の、両側面の踵側の端部の編目を踵保持部の側面の編目に重ねることにより、前記両側面を踵保持部に接合するステップを実行する。【００１４】
このようにすると、踵保持部はソールとウェールが連続し、かつ両側面の踵側の端部と、踵保持部の編地の側部とが無縫製で接合されているフットウェアが得られる。【００１５】
より好ましくは、前記ステップa，d，及びeでは、熱融着糸を含む糸により編成を行い、
f：  前記ステップeに続いて、フットウェアを構成する編地を横編機から取り出し、次いで、前記第1の袋状編地と、第2の袋状編地あるいはＣ字状の編地を横編機の外部で重ねて、２重の編地とするステップと、
g：  次いで、フットウェアを構成する編地を熱処理することにより、熱融着糸を融着させるステップ、とを実行する。このようにすると、簡単に履口開口から爪先までの爪先の編地を２重に重ね、かつ熱処理によりフットウェアの形状を保持でき、かつ強度を付与できる。【００１６】
特に好ましくは、接合部が履口開口内へ突き出している。接合部はタン等となり、また突出により接合部の周長が長くなるので、編成過程での編目の移動（製造方法でのステップｃ）が容易になる。
【図面の簡単な説明】
【００１７】
【図１】実施例でのフットウェアの編成工程図
【図２】実施例での、編成終了までの編地の形状を模式的に示す図
【図３】実施例での、タンの両側の突起がないフットウェアの編成を模式的に示す図
【図４】実施例での、タンの両側に突起を備えるフットウェアの編成を模式的に示す図
【図５】実施例での、長いタンを備えるフットウェアの編成を模式的に示す図
【図６】実施例での、フットウェアの製造工程の概略を示す図
【図７】実施例での、長いタンを備えるフットウェアの製造工程の概略を示す図
【図８】編成後のカジュアルタイプのフットウェアを表側から見た写真
【図９】編成後のカジュアルタイプのフットウェアをソール側から見た写真
【発明を実施するための形態】
【００１８】
以下に、発明を実施するための最適実施例を示す。
【実施例】
【００１９】
図１〜図９に実施例を示す。図１はフットウェアの編成を示し、前針床Ｆと後針床Ｂとを備える横編機で編成する。横編機が前後各２枚の針床を備える場合は、前の一対の針床を前針床Ｆとし、後の一対の針床を後針床Ｂとする。編成に用いる編糸は、熱融着糸（熱処理により周囲の糸と融着する糸）を含む糸が好ましい。図１の1)で一対の袋状編地４，５を編成し、袋状編地４，５は各々編目の約半数を前針床Ｆに係止し、残りの編目を後針床Ｂに係止する。なお袋状編地５の代わりに、図２に１点鎖線で示すように、半円状の端部６を有するＣ字状の編地７を編成しても良く、この場合、針床の長手方向に沿っての位置で、編地４の逆側が開口する。袋状編地４，５あるいは袋状編地４とＣ字状編地７までを、第１の編地と呼び、それ以降の踵保持部まで続く編地を第２の編地と呼ぶ。【００２０】
履口開口まで袋状編地４，５を編成すると、袋状編地４の足甲の終端部８、１０の終端編目を、各々袋状編地５の足甲の終端部９，１１の終端編目と重ね、次いで伏目処理により接合する。この結果、終端部８〜１１の編目は針床Ｆ，Ｂから外れ、接合部１２となる（図１の2)）。【００２１】
接合が完了した時には、袋状編地４の編目同士が針床Ｆ，Ｂ上で向かい合い、袋状編地５の編目同士が針床Ｆ，Ｂ上で向かい合っている。この状態から、夫々の編地を一方の針床と他方の針床に振り分けるように、回し込みを行う。この操作により、袋状編地４の編目が一方の針床、例えば後針床Ｂに揃い、袋状編地５の編目は他方の針床、例えば前針床Ｆに揃う。回し込み後の状態を図１の3)に示す。袋状編地４，５の編目で、針床Ｆ，Ｂに係止されているものは、単一の環状の編目列１３を構成している。なお、袋状編地４の編目の一部が、前針床Ｆ等の他方の針床に存在しても良い。また、袋状編地５の編目の一部が、後針床Ｂ等の一方の針床に存在しても良い。【００２２】
図１の3)に示すように、2)の状態から回転させる際に、接合部１２は針床Ｆ，Ｂ上に残る編目列１３の編幅と等しい長さに引き延ばされる。例えば、後述する図３や図４のように、履口側に膨らんだ形状の接合ライン３７，３８の場合、その分の周長が増加しており、引き延ばしに耐えることができる。なお接合部１２の長さが元々長い場合、あるいは伸縮性の高い編糸の場合、後述する図６に示すように、接合部１２は直線的な形状でも良い。編糸が引き延ばしに耐えることができる場合は、接合部１２を履口開口内へ突き出さない形状としても良い。【００２３】
編目列１３に続いて、フットウェアのソールと両側面の編地１４を、踵側へ編成する（図１の4)）。編目列１３は前後各々の針床に係止され、前針床Ｆに編地５の編目が、後針床Bに編地４の編目が係止されている。編地１４では、編目列１３での前針床Ｆの編目に続いて１層目の編地を、編目列１３での後針床Ｂの編目に続いて２層目の編地を編成する。編地１４は、ウェールの方向が袋状編地４，５と連続し、爪先から踵を向き、コースの方向がフットウェアの長手方向とクロスする。また、針床Ｆ，Ｂの各々で、編地１４の中央部がフットウェアのソールとなり、その両側がソールの両側に起立するフットウェアの両側面となる。ただし、編地１４を、ソールが1層で、両側面が２層のＣ字状の編地２０としても良い。例えば、編成後にソールカバーを接着すると、外見は２層の袋編地と同じでより軽いシューズとなる。あるいはまた、タック、リブ組織等により、編地１４の表裏２層の編地を連結しても良い。  【００２４】
フットウェアのタン等の両側に鳩目孔を設けるには、図１の4)に鎖線で示すように、編地１４の左右両側に、各々、２層の編地から成る突起部２２，２３を編成すれば良い。突起部２２，２３を編成すると、編地１４の左右両端部の各編目と突起部２２，２３の編地１４側の編目を接合する。なお突起部２２，２３は、袋状ではなく、１層の編地でも良い。【００２５】
編地１４を踵側へ編成することにより、フットウェアのソール２４と側面２５，２６との編地を編成する（図１の5)）。次いで、編地１４の終端部中央の位置から、踵保持部２８のみを編成する。踵保持部２８の編成と並行して、両側面２５，２６の踵側の終端部の編目を、踵保持部２８の側端部の編目に重ねて接合する（図１の6)）。同様の編成を繰り返すと、両側面２５，２６が針床に係止される幅が徐々に減少する（図１の7)）。踵保持部２８の編成が終了した時には、踵保持部２８のみが針床に係止されており（図１の8)）、踵保持部２８の終端部の編目に伏目処理を行うと、フットウェアの編成が完了する。【００２６】
フットウェアを横編機から取り出し、袋状編地４，５の一方を他方の内部へ挿入して内外２層となるように重ねる。そして突起部２２，２３を縫製や接着等により足甲３０に固定する。また熱処理により熱融着糸を融着させて、２層の編地を互いに接着する。熱処理と縫製との順序は任意である。【００２７】
図２は、図１の編成で製造されるフットウェアを示す。図２の1)で、袋状編地４，５を編成し、これらはフットウェアの爪先から履口開口に達するまでの部分となる。袋状編地４，５は各々編出部４Ｓ，５Ｓから編出し、編出しは例えば特許文献３（WO2008/143172）に従って行う。袋状編地４，５は爪先となる下端が閉じ、上端が開いている、袋状の編地である。編地4，5を接合した後の状態を、図２の2)に示す。なお袋状編地４，５の一方、例えば袋状編地５は、2)に１点鎖線で示すように、半円状の端部６を備えたC字状の編地７でも良く、Ｃ字の開口は袋状編地４とは針床の長手方向に沿って逆側にある。【００２８】
図２の3)に、編地１４のバリエーションの例を示す。例えば、左から２つ目の編地１５のように、編地１４の表裏を、ＰＰ繊維（ポリプロピレン繊維）など曲がり難い連結糸１６を用いて、タックにより結合すると、厚くクッション性に優れた編地、いわゆるスペーサーファブリックとなる。また左から３つ目の編地１８のように、編地１４の表裏をリブ組織１９で結合すると、厚い編地となる。あるいは左から４つ目のＣ字状の編地２０のように、全体を２層とせず、フットウェアのソールの部分を１層とし、両側面を２層とすると、軽量の編地となる。爪先側でＣ字状の編地７を編成した場合でも、割り増やし（EP890667B1，EP2436811A2参照）などにより、欠けている部分に増目すると、２層の編地１４を編成できる。【００２９】
図２の4)では、編地１４の終端部中央の位置から踵保持部２８のみを編成し、踵保持部２８の編成と並行して、両側面２５，２６の踵側終端部の編目を、踵保持部２８の側端部の編目に重ねて接合する。また３０は袋状編地４，５あるいは袋状編地４とＣ字状編地７とから成るフットウェアの足甲である。突起部２２，２３の有無、タンの形状、足甲３０と編地１４の編み組織（組織柄）、足甲３０と編地１４へのポケット等の付属物、等により、種々のフットウェアを編成できる。例えばフットウェア３２は、突起部２２，２３が無い、スリッポンと呼ばれるタイプである。フットウェア３４は、突起部２２，２３を備える、カジュアルと呼ばれるタイプである。フットウェア３６は、履口開口側へ突き出したタン３１を備える、スポーツと呼ばれるタイプである。【００３０】
図３〜図５に、フットウェア３２，３４，３６を示す。図３〜図５のパーツ４，５，は袋状編地から成り、袋状編地４に附属するパーツ８，１０は同じ形状で、袋状編地５に附属するパーツ９，１１も同じ形状である。またパーツ１４〜２８は筒状編地あるいは２層の編地から成る。袋状等のパーツの表編地と裏編地は同じ形状で、前後の針床に半分ずつ係止されている。なおフットウェア３２，３４，３６は、編出部４Ｓ，５Ｓから袋状編地４，５を編成し、袋状編地５の代わりに、Ｃ字状の編地７を編成しても良い。【００３１】
フットウェア３２，３４では、袋状編地４，５から相対的に小さく突き出した終端部８〜１１を編成する。これに対してフットウェア３６では、袋状編地４から相対的に長く突き出すタン３１を編成する。ここで、タン３１の編成では、
・  前後双方の針床で、中間の折り返し５５までは、接続のための掛目を形成しながら袋状編地５側へ移動するように編成し、
・  折り返し５５からは袋状編地４側へ戻るように移動させながら編成し、接合ライン５３の編目と接合ライン５４の編目とを重ねて接合する。この結果、２層のタン３１が得られる。【００３２】
終端部８〜１１，３１の編成が終わると、接合編成４０により袋状編地４，５を接合する。フットウェア３２，３４の場合、接合ライン３７，３８に沿って、終端部８，９の終端編目を重ねて伏せ目を行い、針床から外す。同様に終端部１０，１１の終端編目を重ねて伏せ目し、針床から外す。フットウェア３６の場合、タン３１の接合ライン５６の編目を、袋状編地５等の接合ライン５７の編目と重ねて伏せ目し、針床から外す。接合編成４０を完了すると、編地の状態は図１の2)となる。【００３３】
次の回し込み４１により、袋状編地４，５等を略９０°針床上で回転させ、針床上でフットウェアのソールの両側に側面を配置する。回し込み４１を完了すると、編地の状態は図１の3)となる。突起部２２，２３を設ける場合、例えば回し込み４１の後に、編出部２２Ｓ，２３Ｓから、例えば２層の編地から成る突起部２２，２３を設ける。突起部２２，２３には例えば靴紐を通す鳩目孔を設ける。【００３４】
次いで、２層の編地１４を編成し、ソール２４が編幅の中心に配置され、側面２５，２６をその両側に配置して、踵側へ編成する。４５〜４８はパーツの境界線で、実際には境界線４５，４６間に隙間はなく、同様に境界線４７，４８間にも隙間はない。ソール２４の編幅の中心部（コース方向の中心部）から踵保持部２８を編成する。踵保持部２８の編成と同時に、踵保持部２８の側端部５０を側面２５の終端部４９と接合し、踵保持部２８の側端部５２を側面２６の終端部５１と接合する。【００３５】
これらによって編成を完了し、針床上には踵保持部２８のみが係止され（図１の8)）、次いで踵保持部２８の終端に伏目処理を行い、針床から外す。この後、袋状編地５あるいはＣ字状の編地７を袋状編地４の内部に挿入して重ね、フットウェア３２，３４，３６を熱処理する。また突起部２２，２３を、必要に応じ、縫製ライン２９で袋状編地４，５等に縫製する。フットウェア３２，３４，３６の製造を、図６，図７に再度示す。終端部８〜１１，３１と側面２５，２６及び踵保持部２８に囲まれた範囲が、履口開口６０となる。【００３６】
図８，図９に、編成と熱処理を完了したカジュアルタイプのフットウェア３４を示し、図の左側が爪先、右側が踵で、図８は上から見た状態を、図９は下から見た状態を示す。【００３７】
実施例では、既に記載したもの以外にも、種々のバリエーションに対応できる。例えば、踵の付近に物品を挿入できるポケットを設けることができる。また編地を厚くして、特定の個所を補強できる。さらに編地の伸縮性、通気性等を場所毎に変えることもでき、組織柄等を付加できる。これらのバリエーションを実現するには、該当個所の編成組織を変更すればよい。      
【符号の説明】
【００３８】
Ｆ，Ｂ  針床    ４，５  袋状編地    ４Ｓ，５Ｓ  編出部
６  端部    ７  Ｃ字状の編地    ８〜１１  終端部    １２  接合部
１３  環状の編目列    １４  ソールと両側面の編地
１５，１８  編地    １６  連結糸    １９  リブ組織
２０  Ｃ字状の編地    ２２，２３  突起部
２２Ｓ，２３Ｓ  編出部    ２４  ソール    ２５，２６  側面
２８  踵保持部    ２９  縫製ライン    ３０  足甲    ３１  タン
３２，３４，３６  フットウェア    ３７，３８  接合ライン
４０  接合編成    ４１  回し込み    ４５〜４８  境界線
４９，５１  終端部    ５０，５２  側端部
５３，５４  接合ライン    ５５  折り返し    
５６，５７  接合ライン    ６０  履口開口
【図１】
0006636139.tif 000002
【図２】
0006636139.tif 000003
【図３】
0006636139.tif 000004
【図４】
0006636139.tif 000005
【図５】
0006636139.tif 000006
【図６】
0006636139.tif 000007
【図７】
0006636139.tif 000008
【図８】
0006636139.tif 000009
【図９】
0006636139.tif 000010